(57)【特許請求の範囲】
【請求項１】
床板と、床板の底部に固定される枠板及び互いに先端部が凹凸係合し得るように設けられ、且つそれぞれ元端部同士が適宜な間隔を開けて枠板に回動自在に取り付けられた一対の脚板とからなり、上記枠板から所定角度回動させた両脚板の先端部同士を凹凸係合させるとともに当該係合部をロック部材で固定し、この脚板の先端部を接地させて立設し得るように形成された複数の脚体を備え、枠板から両脚板を立設し、脚板の先端部を接地させて床板が適宜高さに支持されるように構成されたプール用床において、上記複数の脚体の各一対の脚板が同一形状に形成されていることを特徴とするプール用床。
【請求項２】
脚板の接地部分を曲面状に形成した請求項１に記載のプール用床。
【発明の詳細な説明】
【０００１】
【発明の属する技術分野】
本発明は、プールの水深を浅くするためにプールの底に設置されるプール用床に関する。
【０００２】
【従来の技術】
プール用床の一例として、図６に示されているように、床材６１の下面に複数本のアングル材６２を平行に並べて固着し、これらアングル材６２の間に箱型の脚体２３を取り付けた構造のものが知られている（実公平２−２７０９４号公報）。
【０００３】
【発明が解決しようとする課題】
既設のプール用床を解体し、各部材を保管庫などに収納し保管する場合、従来のプール用床の脚体は、より小さく分解し或いは折り畳める構造のものではなく、多数個を積み重ねて収納することができず、広い保管スペースを必要とするという問題点があった。
【０００４】
本発明は、上記問題点に鑑み、プール用床を簡単な操作で組み立て及び分解することができ、使用中は外力が加わっても組み立てた状態を確実に保持して安全性に優れ、不使用時には小さく折り畳んで収納し保管することができる構造とし、更に構成部材点数を少なくして組み立て作業の容易化が図れるようにすることを課題とする。
【０００５】
【課題を解決するための手段】
上記課題を解決するため本発明のプール用床は、床板と、床板の底部に固定される枠板及び互いに先端部が凹凸係合し得るように設けられ、且つそれぞれ元端部同士が適宜な間隔を開けて枠板に回動自在に取り付けられた一対の脚板とからなり、上記枠板から所定角度回動させた両脚板の先端部同士を凹凸係合させるとともに当該係合部をロック部材で固定し、この脚板の先端部を接地させて立設し得るように形成された複数の脚体を備え、枠板から両脚板を立設し、脚板の先端部を接地させて床板が適宜高さに支持されるように構成されたプール用床において、上記複数の脚体の各一対の脚板が同一形状に形成されていることを特徴とするものである。
【０００６】
これによれば、同一形状の二つの脚板を一対として脚体が構成されているから、脚板の製造用金型が一つで済み、また、プール用床の組立ての際にも、脚板の種類を取り違えることがなくなり、作業効率が高まる。
【０００７】
上記構成において、脚板の接地部分を円弧などの曲面状に形成すれば、床板を安定的に支持することができて好ましい。
一対の脚板は、一方の脚板の先端部が他方の脚板の係合凹部に凹凸係合するように設け、この係合部に、突部を係止させて係合状態を維持するロック部材を取り付けることができ、これにより、プール底に対してＶ字型に立設された脚体は安定的に床板を支持する。
また、脚板が取り付けられる枠板の両連結部を高さを異ならせて設け、それぞれの連結部に取り付けた脚板を枠板内方へ折り畳んだ状態で、枠板及び脚板が水平に維持され得るように設けることができ、これにより、床板から取り外した脚体を、ロック部材を操作して先端部同士の係合の固定を解除した後、両脚部を枠板に折り重ねて小さくコンパクトに納め、複数個を安定的に積み重ねて保管することができる。
【０００８】
【発明の実施の形態】
本発明の好適な実施形態を図面により説明する。
図１は本発明のプール用床の要部側面を示し、図示されているように、プール用床は１、プール底面嵩上げ用の床板２と、プール底Ｇ上に設置されて床板２を適宜な高さに支持する複数の脚体３からなり、脚体３をプール底にＶ字型に立設させて床板２を支持し、不使用時には、小さく折り畳め、且つ積み重ねに便利なように折り畳んだ状態の上下両面が平坦な水平面となるように構成されたものである。
【０００９】
ここで、床板２は、中空部を有するプラスチック製の長尺状の床材４と、床材４を支持する支持部材としてのアングル材５からなり、図１に示されているように、上面５ａ及び垂下面５ｂを向かい合わせにして適宜な間隔を置いて離して配置したアングル材５，５を一組とし、複数組みを平行に互いに適宜な間隔を開けて並置し、これらアングル材５の上にアングル材と交差する向きで複数本の床材４を敷設し、各々ボルトやリベット等の固着具（図示せず）を用いて締結固定し、適宜な長さ及び幅の水平な床面に形成してある。
対向配置した一組みのアングル材５，５は、脚体３の枠板６の長手方向の寸法と略同寸法、離して配置してあり、両アングル材５，５に脚体３を取り付け、固定できるように設けてある。
床材４とアングル材５との連結は、上記固着具を用いる他、部材同士の嵌合や係合による固定等の適宜な連結手段により行なうことができる。
【００１０】
また、脚体３は、床板２に固定される枠板６と、先端部が互いに係合可能に設けられ且つそれぞれ元端部同士が適宜な間隔を開けて枠板６に回動自在に取り付けられた一対の脚板７，７よりなり、枠板６から所定角度回動させた脚板７，７を互いに先端部同士を係合固定して立設し、脚板７，７の先端部を接地させて床板２が適宜高さに支持できるように構成されている。
これら各構成部材はプラスチックを用いて一体成形加工により形成されるが、一対の脚板７，７は同一形状のものとしてある。
【００１１】
次に、脚体の一例の構造を図２〜図５を参照して説明する。図２は脚体の外観図、図３はロック部材の動作を説明するための図、図４は脚体の先端部の要部断面図、図５は脚体の組み立てと折り畳みを説明するための図である。
【００１２】
図２において、脚体１１は、頂面縁部に突部１２ａを設けて矩形板状に形成された枠板１２と、断面アーチ状に湾曲させてなる先端部同士が互いに凹凸係合し得るように設けられていて元端部を連結部としてなる同一形状の二つの脚板１３，１３とからなり、上記枠板１２の長手方向両端辺部に軸孔（図示せず）を有する枢支用突起１５ａを複数個突設させた連結部１２ｂ，１２ｃを設け、これら両連結部に、嵌合溝１５ｂと軸孔（図示せず）を有する被枢支用突起１５ｃとを上記枢支用突起１５ａと対応させて形成した両脚板１３，１３の連結部１３ａ，１３ａを相互に嵌合させ、枢支用突起１５ａと被枢支用突起１５ｃとを軸棒１４により回動自在に軸支して取り付けてある。
【００１３】
さらに詳しくは、図３に示されているように、脚板１３，１３の先端部は、短手幅を二等分する軸線Ｏを境とした一側に凹溝１３ｂと突部１３ｃが、他側に上記凹溝に嵌入し得る幅の突部１３ｄと上記突部が嵌入し得る幅の凹溝１３ｅがそれぞれ形成されてなり、両脚板１３，１３を向かい合わせにした状態で位置対応する互いの突部１３ｄと凹溝１３ｂ、及び突部１３ｃと凹溝１３ｅとを凹凸嵌合させ得るように設けてある。
上記各突部１３ｃ，１３ｄは、脚体１１を立設させたときに接地する部位であり、その表面を円弧形状に形成してある（図４参照）。
なお、突部１３ｄ及び突部１３ｃの側部には、それぞれ開口１３ｆ及び開口１３ｇが凹凸嵌合状態で同心上に重なるように設けてある。
【００１４】
上記突部１３ｄは中空状に形成され、この中空部に連ねて脚板の外面側に凹陥部１３ｈを設け、この凹陥部内に両脚板の先端部同士の係合を固定するロック部材１６を装着してある。
ロック部材１６は、図３及び図４に示されているように、底部に係止突条１６ａ，１６ａが並設された籠形の枠部１６ｂに、上記係止突条と平行に延びる棒状突部１６ｃを先端部が枠部側縁１６ｄよりも外方に突出するよう一体に連設して形成してある。
凹陥部１３ｈ内でロック部材１６は、棒状突部１６ｃを突部１３ｄの中空部内に配し、上記突条１６ａ，１６ａを、脚板１３の先端縁辺と平行に凹陥部内に形成された溝条１３ｉに圧入係止して当該溝条に沿って枠部１６ｂ及び棒状突部１６ｃが摺動移動し得るように取り付けられ、枠部１６ｂが上記脚板の中心Ｏ側にあるときは棒状突部１６ｃが突部１３ｄ内に位置し（図３（Ａ））、枠部１６ｂが脚板の縁部側にあるときは棒状突部１６ｃの先端部が突部１３ｄの開口１３ｆから凹溝１３ｅに突出するように設けてある（図３（Ｂ））。
【００１５】
したがって、両脚板１３，１３を係合させる際に、棒状突部１６ｃの先端部が凹溝１３ｅに突出しないようロック部材１６を操作し、この状態で上記両脚板の先端部同士を凹凸係合させ、その後、枠部１６ｂを脚板の縁部側に位置するようロック部材１６を摺動移動すれば、棒状突部１６ｃの先端部は、突部１３ｄの開口１３ｆと突部１３ｃの開口１３ｇとに挿通し、両突部を係止して先端部の凹凸係合を固定し、他方、枠部１６ｂを脚板の中心Ｏ側に位置するようロック部材１６を摺動移動すれば、棒状突部１６ｃは突部１３ｇから抜出し、上記固定が解除され、凹凸係合していた両脚板１３，１３を回動自在とすることができる。
【００１６】
脚体１１は、枠板１２に両脚板１３，１３を回動自在に取り付け、図５に示されているように、枠板１２の内方に両脚板１３，１３を倒し、同板に折り重ねておくことができる（同図（Ａ））。また、脚体１１を立設させるときは、両脚板１３，１３を枠板１２から起立させ（同図（Ｂ））、それぞれ適宜角度に回動して互いの先端部同士を凹凸係合させ、ロック部材１６を操作し、両脚板１３，１３を回動不能に固定して行なうことができる。
【００１７】
なお、枠板１２及び脚板１３，１３の形成寸法は、脚体１１を立設した際の強度、折り畳んだ状態で重なり合う各板が平坦な水平面に維持されること等を考慮して適宜に設定することができる。
【００１８】
【発明の効果】
本発明のプール用床によれば、同一形状の二つの脚板を一対として脚体を構成しているので、部材点数が少なくなって組み立て作業の容易化が図られ、また、一対の脚板は先端部を互いに係合固定してプール底に対してＶ字型に立設して床板を支持するので安全性に優れていると共に、不使用時には小さく折り畳んで省スペース内に収納し保管することができるものである。
【図面の簡単な説明】
【図１】本発明の一実施形態のプール用床の要部側面図である。
【図２】プール用床を構成する脚体の一例の外観図である。
【図３】脚体のロック部材の動作を説明するための図である。
【図４】図３のIV−IV線断面図である。
【図５】脚体の組み立てと折り畳みを説明するための図である。
【図６】従来のプール用床の要部を断面で示した外観図である。
【符号の説明】
1    プール用床
2    床板
3,11 脚体
4    床材
5    アングル材
6,12 枠板
7,13 脚板
16    ロック部材
【図１】
0003745147.tif 000002
【図２】
0003745147.tif 000003
【図３】
0003745147.tif 000004
【図４】
0003745147.tif 000005
【図５】
0003745147.tif 000006
【図６】
0003745147.tif 000007